(57)【要約】【課題】乳房と胸部の皮膚との間に発生した汗を容易に、且つ効果的に吸収することができる肌着を提供することを目的とする。【解決手段】本発明に係る肌着１０は、着用者１００の胸部を被覆する前身頃１１と、着用者の背中を被覆する後身頃１２を有する。前記前身頃１１は、着用者１００の腹部側から延在して着用者１００の皮膚に接触する第１の被覆部１１Ａと、前記着用者１００の頭部側から延在して前記第１の被覆部を覆う第２の被覆部１１Ｂを備える。【選択図】図１
2019203235.tif 000002
【特許請求の範囲】
【請求項１】
着用者の胸部を被覆する前身頃と前記着用者の背中を被覆する後身頃を有する肌着において、前記前身頃は、
前記着用者の腹部側から延在して、前記着用者の皮膚に接触するように設けられる第１の被覆部と、
前記着用者の頭部側から延在して、前記第１の被覆部を覆う第２の被覆部と、
を備えることを特徴とする肌着。
【請求項２】
前記第１の被覆部の上端の位置は、前記着用者の乳房の下側の位置に対応するように調整されることを特徴とする請求項１に記載の肌着。
【発明の詳細な説明】
【技術分野】
【０００１】  本発明は、肌着に関し、特に、女性用の肌着に関する。
【背景技術】
【０００２】  従来、肌着は着用者の上半身の輪郭に沿って、全体的に覆う。したがって、乳房と胸部の皮膚との間に生じる隙間には、肌着は介在しない。一方、乳房と胸部の皮膚との間は発汗しやすい。例えば、ブラジャーを着用して汗を吸収させることはできるが、入浴後のリラックスした状態のときに、ブラジャーを着用するのは煩わしい場合がある。また、高齢者を介護する場合、簡単に着用させることができることが望ましい。
【発明の概要】
【発明が解決しようとする課題】
【０００３】  本発明は、上記課題に鑑みてなされたもので、乳房と胸部の皮膚との間に発生した汗を容易に、且つ効果的に吸収することができる肌着を提供することを目的とする。
【課題を解決するための手段】
【０００４】  本発明に係る肌着は、着用者の胸部を被覆する前身頃と着用者の背中を被覆する後身頃を有する。前記前身頃は、着用者の腹部側から延在して、前記着用者の皮膚に接触するように設けられる第１の被覆部と、前記着用者の頭部側から延在して、前記第１の被覆部を覆う第２の被覆部を備える。
【発明の効果】
【０００５】  本発明に係る肌着は、乳房と胸部の皮膚との間に発生した汗を容易に、且つ効果的に吸収する効果を奏する。また、着用者の乳房を他者の目に晒すことを回避する効果も奏する。
【図面の簡単な説明】
【０００６】
【図１】図１は、本発明に係る肌着を示す図であり、同図（Ａ）は正面から見た状態を示し、同図（Ｂ）は、側面から見た状態を示す。
【図２】図２は、本発明に係る肌着を裏返しにした状態を示す図であり、同図（Ａ）は正面から見た状態を示し、同図（Ｂ）は側面から見た状態を示す。
【図３】図３は、本発明に係る肌着を着用した状態を示す図であり、同図（Ａ）は正面から見た状態を示し、同図（Ｂ）は側面から見た状態を示す。
【発明を実施するための形態】
【０００７】  以下、図面を用いて本発明に係る肌着の実施形態を説明する。尚、図面において、対応する構成については同じ符号を付し、重複した記載は必要な場合にのみ行う。図１（Ａ）は、肌着１０を正面から見た状態を示し、図１（Ｂ）は、側面から見た状態を示す。図１（Ａ）と図１（Ｂ）を合わせて図１と呼ぶ場合がある。
【０００８】  本実施形態に係る肌着１０は、着用者の胸部（図示せず）を被覆する前身頃１１と、着用者の背中（図示せず）を被覆する後身頃１２を有する。なお、本明細書で「前身頃」とは、着用した際に、着用者の胸部側（身体前方）を覆う部分を意味する。また、「後身頃」とは、着用した際に、着用者の背中側（身体後方）を覆う部分を意味する。前身頃１１と後身頃１２は、肩部縫い合せ部１３と脇部縫い合せ部１４によって接合されている。また、前身頃１１と後身頃１２は、接合部１７によって接合される。接合部１７は、肌着１０の着用時に、着用者の乳房を左右に分離して第１の被覆部１１Ａと第２の被覆部１１Ｂとの間に挿入しやすくする効果を有する。
【０００９】  前身頃１１は、着用者の腹部側（図１において、下方側）から延在する第１の被覆部１１Ａを有する。第１の被覆部１１Ａは、着用者が着用したときに、着用者の胸部の皮膚に接する。図１において、第１の被覆部１１Ａは、第１の被覆部１１Ａの上端１５まで延在する。第１の被覆部１１Ａの上端１５は、着用者の体形に応じて適宜、調整する。例えば、着用者の乳房に達する位置を、第１の被覆部１１Ａの上端１５として設定することができる。第１の被覆部１１Ａの上端１５を、着用者の乳房に達する位置とすることで、着用者の乳房の下に発生する汗を効果的に吸収することができる。
【００１０】  前身頃１１は、着用者の頭部側（図１において、上方側）から延在して、第１の被覆部１１Ａを覆う第２の被覆部１１Ｂを備える。第２の被覆部１１Ｂは、第２の被覆部１１Ｂの下端１６まで延在する。したがって、第１の被覆部１１Ａと第２の被覆部１１Ｂは、第１の被覆部１１Ａの上端１５と第２の被覆部１１Ｂの下端１６の間の間隔Ｌにおいてオーバーラップする。第２の被覆部１１Ｂの下端１６の位置は、例えば、着用者の体形、乳房の大きさ等に応じて適宜、設定することができる。
【００１１】  肌着１０の材質は、伸縮性のある材質を選ぶことが望ましい。伸縮性のある材質とすることで、肌着１０の第１の被覆部１１Ａが着用者の体形に応じて伸縮して着用者の皮膚に接触しやすくなり、また、第２の被覆部１１Ｂが、第１の被覆部１１Ａ上で乳房を覆いやすくなる。
【００１２】  図２は、本発明に係る肌着１０を裏返した状態を示す図であり、同図（Ａ）は正面から見た状態を示し、同図（Ｂ）は側面から見た状態を示す。図２（Ａ）と図２（Ｂ）を合わせて図２と呼ぶ場合がある。図２に示すように、第１の被覆部１１Ａは後身頃１２と、左右に設けられ脇部縫い合せ部１４において結合される。同様に、第２の被覆部１１Ｂは、左右に設けられる肩部縫い合せ部１３において後身頃１２と結合される。これにより、前身頃１１の第１の被覆部１１Ａと第２の被覆部１１Ｂの両側は結合された状態となる。
【００１３】  一方、前身頃１１の第１の被覆部１１Ａと第２の被覆部１１Ｂの上下、すなわち、第１の被覆部１１Ａの上端１５側と第２の被覆部１１Ｂの下端１６側は、開放された状態である。これにより、肌着１０を着用した際、前身頃１１の第１の被覆部１１Ａと第２の被覆部１１Ｂとの間に着用者の乳房を挿入することができる。
【００１４】  図３は、本発明に係る肌着を着用した状態を示す図であり、同図（Ａ）は正面から見た状態を示し、同図（Ｂ）は側面から見た状態を示す。図３（Ａ）と図３（Ｂ）を合わせて図３と呼ぶ場合がある。図３に示すように、着用者１００は、前身頃１１の第１の被覆部１１Ａと第２の被覆部１１Ｂの間に乳房１０１Ｒ，１０１Ｌを挿入して、肌着１０を着用することができる。第１の被覆部１１Ａを着用者の胸部の皮膚と乳房１０１Ｒ、１０１Ｌとの間に介在させることで、第１の被覆部１１Ａにより、着用者１００の乳房１０１Ｒ、１０１Ｌと胸部の皮膚との間の接触を防ぐことができるため、乳房１０１Ｒ、１０１Ｌと胸部の皮膚との接触に伴う発汗を抑制することができる。また、発生した汗を第１の被覆部１１Ａにより効果的に吸収することができる。更に、第２の被覆部１１Ｂが、着用者１００の乳房１０１Ｒ、１０１Ｌの前面側を覆うため、乳房１０１Ｒ、１０１Ｌを他者の目に晒す心配もない。
【００１５】  既述した実施形態においては、第１の被覆部１１Ａの上端１５を直線で示したが、第１の被覆部１１Ａの上端１５の形状を、着用者１００の乳房１０１Ｒ、１０１Ｌの形状に合わせて下方側に湾曲する曲線形状とすることができる。第１の被覆部１１Ａの上端１５の形状を着用者１００の乳房１０１Ｒ、１０１Ｌの形状に合わせることで、第１の被覆部１１Ａを着用者の乳房１０１Ｒ、１０１Ｌと胸部の皮膚との間に、精度よく介在させることができる。
【００１６】  また、第１の被覆部１１Ａの上端１５に沿って、第１の被覆部１１Ａに肉厚部（図示せず）を設けてもよい。第１の被覆部１１Ａの上端１５側、すなわち、乳房１０１Ｒ、１０１Ｌ側を肉厚部とすることにより、乳房１０１Ｒ、１０１Ｌの下側に発生する汗の吸収量を増大させることができる。
【００１７】  また、第１の被覆部１１Ａと第２の被覆部１１Ｂの材質を変えてもよい。例えば、第１の被覆部１１Ａは、吸水性の高い材質とし、第２の被覆部１１Ｂは伸縮性の高い材質とすることができる。第１の被覆部１１Ａの材質を吸水性の高い材質とすることで、汗を効果的に吸収させることができる。また、第２の被覆部１１Ｂを伸縮性の高い材質とすることで、第１の被覆部１１Ａと第２の被覆部１１Ｂとの間への着用者の乳房１０１Ｒ、１０１Ｌの挿入が容易になり、また、挿入した乳房１０１Ｒ、１０１Ｌを第２の被覆部１１Ｂにより覆いやすくなる。
【００１８】  第１の被覆部１１Ａと第２の被覆部１１Ｂとの間に着用者１００の乳房１０１Ｒ、１０１Ｌを挿入することができるため、例えば、ブラジャーの着用を省略することができる。特に、入浴後等、発汗しやすい状態のときに本発明に係る肌着１０を着用し、ブラジャーの着用をすることなく、リラックスした状態で乳房１０１Ｒ、１０１Ｌと胸部の皮膚との間の汗を効果的に吸収させることができる。
【００１９】  また、高齢者の介護において使用する場合でも、本発明に係る肌着１０を効果的に用いることができる。介護が必要な高齢者の場合、寝た状態で過ごす時間が長くなる。本発明の肌着１０により、寝た状態において乳房１０１Ｒ、１０１Ｌと胸部の皮膚の間に発生した汗を効果的に吸収させることができる。汗を効果的に吸収させることにより、着用者１００の皮膚に生じる汗疹の発生を防ぐことができる。また、前身頃１１の第１の被覆部１１Ａと第２の被覆部１１Ｂとの間は開放された状態であるため、着用者１００の乳房１０１Ｒ、１０１Ｌと胸部の皮膚との間に第１の被覆部１１Ａが適切に介在するように、肌着１０の外側から調整することは容易である。その際、第２の被覆部１１Ｂにより着用者１００の乳房１０１の前面側は覆われるため、着用者１００が嫌な思いをする程度を抑えることができる。
【００２０】  実施形態に限らず、種々の変形が可能である。実施形態は、例として提示したものであり、発明の範囲を限定することは意図していない。発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２１】  １０  肌着、１１  前身頃、１１Ａ  第１の被覆部、１１Ｂ  第２の被覆部、１２  後身頃、１７  接合部
【図１】
2019203235.tif 000003
【図２】
2019203235.tif 000004
【図３】
2019203235.tif 000005